(57)【要約】【課題】標準装備された既存のアームレストを廃棄することなくそのまま利用しながら、サイズの大きなアームレストを得る。【解決手段】アームレスト拡張部材Ａは、上面に肘受け面２３を形成し、収納部２２とスリット２４とを設ける。収納部２２は、既存のアームレストを収納する。スリット２４は、収納部２２と肘受け面２３との間で、肘受け面２３とほぼ平行にアームレスト拡張部材Ａを貫通する。既存のアームレスト１２をアームレスト拡張部材Ａに収納した状態で、帯状体３１は、スリット２４を貫通し、既存のアームレスト１２とアームレスト拡張部材Ａとを包み込み、その端部相互が固定されてアームレスト拡張部材Ａと既存のアームレスト１２とを固定する。被覆体４１は、帯状体３１とアームレスト拡張部材Ａと既存のアームレストとをまとめて被覆する。【選択図】図１３
2011079371.tif 000002
【特許請求の範囲】
【請求項１】
肘受け面を上面に形成し、シートに取り付けられている既存のアームレストを収納する収納部と、前記収納部と前記肘受け面との間に当該肘受け面とほぼ平行に貫通するスリットとを有する本体と、
前記スリットに貫通した状態で、前記収納部に前記アームレストを収納させた前記本体と当該アームレストとを包み込んで固定する帯状体と、
前記帯状体と当該帯状体に固定された前記本体と当該帯状体に固定された前記アームレストとを被覆する被覆体と、
を備えるアームレストカバーユニット。
【請求項２】
前記帯状体に設けられ、当該帯状体が前記アームレストと前記本体とを包み込みこれらを固定するときに前記本体における前記スリットの開口箇所に位置付けられる凸部
を更に備える請求項１記載のアームレストカバーユニット。
【請求項３】
前記帯状体における相対する二辺のそれぞれに設けられ互いに噛み合うことで前記本体及び前記アームレストを包み込んでいる前記帯状体を固定する務歯と、前記務歯を噛み合わせるためのスライダと、を含むファスナーを更に備え、
少なくとも一方の前記務歯は、前記帯状体の内側に凹むよう湾曲状に延びている、
請求項１又は２記載のアームレストカバーユニット。
【請求項４】
湾曲している一方の前記務歯は、他方の前記務歯よりも長い、
請求項１ないし３のいずれか一に記載のアームレストカバーユニット。
【発明の詳細な説明】
【技術分野】
【０００１】
本発明は、シートに取り付けられている既存のアームレストに被覆させて、既存のアームレストより大きなサイズのアームレストを得るアームレストカバーユニットに関する。
【背景技術】
【０００２】
従来、自動車等の車両用のシートに設けられているアームレストのサイズを大きくすることが種々試みられている。一例として、既存の標準装備されたアームレストを大型のアームレストに付け替えることが挙げられる。
【０００３】
別の一例として、特許文献１及び特許文献２に記載されているように、アームレストを２つのパーツで構成し、一方のパーツを、必要に応じて他方のパーツの上側に重層配置したり、両パーツを並列配置したりすることも挙げられる。この場合、幅広な肘受け面を設けるか、幅狭な肘受け面を設けるかの選択をすることが可能になる。
【０００４】
さらに別の一例として、特許文献３に記載されているように、自動車の前後方向に移動自在な取り付け部材を介して自動車シートのバックレストに取り付けられるアームレストもある。この場合、標準の長さのアームレストと前後方向に長いアームレストとの選択が可能となる。
【先行技術文献】
【特許文献】
【０００５】
【特許文献１】特開２００３−１４４２６７号公報
【特許文献２】特開２００４−２３７８８８号公報
【特許文献３】特開平１１−４６９２１号公報
【発明の概要】
【発明が解決しようとする課題】
【０００６】
しかしながら、既存の標準装備されたアームレストを大型のアームレストに取り替えるのでは、既存の標準装備されたアームレストは取り外され廃棄されるため無駄となる。
【０００７】
特許文献１、２及び３に記載のいずれのアームレストも、使用されると、当初から車両に設置されていればアームレストは既存のアームレストに比して確かに大きくなる。しかし、既存のアームレストがあらかじめ標準装備されている場合は、やはり、標準装備のアームレストと交換する必要がある。
【０００８】
本発明の目的は、標準装備された既存のアームレストを廃棄することなくそのまま利用しながら、サイズの大きなアームレストを得ることである。
【課題を解決するための手段】
【０００９】
請求項１に記載のアームレストカバーユニットは、肘受け面を上面に形成し、シートに取り付けられている既存のアームレストを収納する収納部と、前記収納部と前記肘受け面との間に当該肘受け面とほぼ平行に貫通するスリットとを有する本体と、前記スリットに貫通した状態で、前記収納部に前記アームレストを収納させた前記本体と当該アームレストとを包み込んで固定する帯状体と、前記帯状体と当該帯状体に固定された前記本体と当該帯状体に固定された前記アームレストとを被覆する被覆体と、を備える。
【００１０】
請求項２に記載のアームレストカバーユニットは、請求項１に記載のアームレストカバーユニットであって、前記帯状体に設けられ、当該帯状体が前記アームレストと前記本体とを包み込みこれらを固定するときに前記本体における前記スリットの開口箇所に位置付けられる凸部を更に備える。
【発明の効果】
【００１１】
請求項１に記載の発明によれば、既存のアームレストにそのまま本体が装着され、その上に被覆体が取り付けられるので、標準装備された既存のアームレストを廃棄することなくそのまま使用しながら、サイズの大きなアームレストを得ることができる。
【００１２】
請求項２に記載の発明によれば、上記の効果に加え、凸部がスリットの開口箇所に生ずる隙間を塞いでアームレストの使用感が向上する。
【図面の簡単な説明】
【００１３】
【図１】シートに固定された既存のアームレストの斜視図である。
【図２】アームレスト拡張部材の斜視図である。
【図３】図２のＤ−Ｄ線断面図である。
【図４】既存のアームレストとアームレスト拡張部材とを帯状体で包み込み、帯状体の端部相互を固定した状態の中央断面図である。
【図５】帯状体の斜視図である。
【図６】帯状体の平面図である。
【図７】既存のアームレストにアームレスト拡張部材を設置した状態の斜視図である。
【図８】アームレスト拡張部材に帯状体を取り付けた状態の斜視図である。
【図９】既存のアームレストとアームレスト拡張部材とを帯状体で包み込み、帯状体の端部相互を固定した状態の斜視図である。
【図１０】凸部を有しない帯状体が、既存のアームレストとアームレスト拡張部材とを帯状体で包み込み、帯状体の端部相互を固定した状態の中央断面図である。
【図１１】固定部が開口状態にある、被覆体の使用状態の斜視図である。
【図１２】アームレスト拡張部材上から被覆体を被覆させ、固定部が開口状態にある状態の斜視図である。
【図１３】図１２のＥ−Ｅ線断面図である。
【発明を実施するための形態】
【００１４】
実施の一形態を、図１ないし図１３に基づいて説明する。
【００１５】
図１を参照する。１１は、自動車に設けられているシートである。１２は、このシート１１に標準装備された既存のアームレストである。アームレスト１２は、シート１１のバックレストの側面部分に取り付けられる。本実施の形態のアームレストカバーユニットは、このアームレスト１２に対して取り付けられるものである（図１２、図１３等参照）。本実施の形態のアームレストカバーユニットは、本体としてのアームレスト拡張部材Ａ（図２等参照）と、帯状体３１（図５等参照）と、被覆体４１（図１１等参照）と、を備える。
【００１６】
［アームレスト拡張部材］
図２、図３及び図４を参照する。Ａは、アームレスト拡張部材（本体）である。アームレスト拡張部材Ａは、収納部２２と、肘受け面２３と、スリット２４とを設けている。
【００１７】
アームレスト拡張部材Ａは、一例として、直方形をなしている。なお、アームレスト拡張部材Ａは、直方形形状に限られることはない。一例として、アームレスト拡張部材Ａは、例えば、ウレタンからなる。ここで、アームレスト拡張部材Ａの素材としては、緩衝作用を有する素材で形成されればよく、したがって、ウレタンから形成されることに限られない。
【００１８】
収納部２２は、アームレスト拡張部材Ａの下側から開口し、アームレスト１２とほぼ同じ大きさに形成される空間である。そのため、図３及び図４に図示されるように、収納部２２内には、アームレスト１２が収納できる。
【００１９】
肘受け面２３は、アームレスト拡張部材Ａの上面に設けられる平坦面である。肘受け面２３には、被覆体４１（図１１等参照）を介してアームレスト使用者の肘が載る。
【００２０】
スリット２４は、収納部２２と肘受け面２３との間で、肘受け面２３とほぼ平行にアームレスト拡張部材Ａに貫通して設けられる
【００２１】
［帯状体］
図５及び図６を参照する。３１は、帯状体である。この帯状体３１は、一例として、帆布（キャンバス）生地で形成される。帯状体３１の一組の対向辺のそれぞれには、務歯３３ａ及び務歯３３ｂが取り付けられる。そして、務歯３３ａ、３３ｂのいずれか一方には、スライダ３３ｃがスライド自在に取り付けられている。スライダ３３ｃは、二つの務歯３３ａ、３３ｂを噛み合わせるものである。図５及び図６に示す例では、スライダ３３ｃは、務歯３３ｂに取り付けられている。務歯３３ａ、務歯３３ｂ及びスライダ３３ｃは、ファスナー３２を構成する。帯状体３１において務歯３３ａ、３３ｂが取り付けられない他の一組の対向辺は、務歯３３ａ、３３ｂにとっての取り付け始端辺３４及び取り付け終端辺３５として機能する。ここで、取り付け始端辺３４は、取り付け終端辺３５よりも長い。務歯３３ｂは、取り付け始端辺３４の一端から取り付け終端辺３５の一端にかけて設けられている。そして、この務歯３３ｂは、図５及び図６に図示されるように、湾曲して取り付けられている。
【００２２】
ここで、帯状体３１の形状と務歯３３ａ、３３ｂとの関係の一例について、図６に基づいて詳しく述べる。帯状体３１は、取り付け始端辺３４と取り付け終端辺３５とが平行となり務歯３３ｂの取り付け始端辺３４側の端部を外側に突出させた台形状となっている。そして、務歯３３ａは、取り付け始端辺３４及び取り付け終端辺３５のいずれに対しても直角となるように、帯状体３１の一辺に沿って直線状に延びている。そして、務歯３３ｂの長さｂは、務歯３３ａの長さａよりも長い。好適には、務歯３３ｂには、務歯３３ａに対し１．１倍〜１．２倍の長さ（ａ：ｂ＝１．０：１．１〜１．２）のものを用いる。そして、この務歯３３ｂは、帯状体３１の別の一辺に沿って、帯状体３１の内側に凹むように湾曲状に延びている。このように二つの務歯３３ａ、３３ｂを設けることで、スライダ３３ｃを動かして務歯３３ａと務歯３３ｂとを噛み合せる作業を使用者が行うとき、取り付け始端辺３４では、ファスナー３２の掛け始めでは、ゆとりある長さを有していて使用者が作業しやすい。そして、取り付け終端辺３５は取り付け始端辺３４より短いので、帯状体３１でアームレスト拡張部材Ａがアームレスト１２（図１、図３、図４等参照）にしっかり固定される。そして、取り付け始端辺３４と取り付け終端辺３５とが平行であって、これらに対して務歯３３ａが直角に向いているため、帯状体３１の製造が容易になる。
【００２３】
帯状体３１の形状と務歯３３ａ、３３ｂとの関係の別の一例について、図６に基づいて詳しく述べる。この例では、務歯３３ｂとしては、務歯３３ａと同じ長さのものを用いる。そして、帯状体３１において、務歯３３ａを取り付け始端辺３４に対して直角に設け、取り付け終端辺３５’の務歯３３ｂの端点を、図６における右下の頂点から務歯３３ｂに沿って長さａだけ離れた点Ｑの箇所に位置付ける。つまり、この例では、取り付け始端辺３４と取り付け終端辺３５’との間の距離が務歯３３ｂに向かうにつれて狭くなるよう、取り付け終端辺３５’が取り付け始端辺３４に対して非平行に、図６において二点鎖線で示すように延びている。このように帯状体３１を形成し二つの務歯３３ａ、３３ｂを設けても、スライダ３３ｃを動かして務歯３３ａと務歯３３ｂとを噛み合せる作業を使用者が行うときに使用者が作業しやすく、帯状体３１でアームレスト拡張部材Ａがアームレスト１２（図１、図３、図４等参照）にしっかり固定される。
【００２４】
なお、図示はしないが、さらに別の例として、取り付け始端辺３４が取り付け終端辺３５よりも長ければ、務歯３３ａは、取り付け始端辺３４や取り付け終端辺３５に対して非直角であってもよい。
【００２５】
図７、図８及び図９を参照する。帯状体３１は、既存のアームレスト１２（図１、図３、図４等参照）を収納部２２（図３等参照）に収納させた状態の、図７に示すようなアームレスト拡張部材Ａにおけるスリット２４に貫通されて、図８に示すように用いられる。そして、帯状体３１は、既存のアームレスト１２とアームレスト拡張部材Ａとを包み込む。そして、帯状体３１の端部相互は、務歯３３ａ、３３ｂ（図５、図６等参照）によって、図９に示すように固定される。このようにして、アームレスト拡張部材Ａと既存のアームレスト１２とは固定される。
【００２６】
再び図５及び図６を参照する。帯状体３１には、２個の凸部３６、３７が設けられる。凸部３６及び凸部３７は、いずれも、棒状のウレタン素材等からなる。凸部３６及び凸部３７の断面形状は、図５に図示されるように、三角形であってその一辺が内側に凹んだ円弧形状となっている。凸部３６及び凸部３７は、いずれも、湾曲していない方の務歯３３ａとほぼ平行に、外に向けて帯状体３１の表面から凸状に突出している。この凸部３６及び凸部３７は、帯状体３１と一体に形成されていても良いし、断面形状が三角形であってその一辺が内側に凹んだ円弧形状となっている棒状部材を帯状体３１に対して取り付けることで形成されていてもよい。
【００２７】
再び図４を参照する。帯状体３１は、既存のアームレスト１２と、このアームレスト１２の周囲に位置するアームレスト拡張部材Ａとを一緒に包み込む。そして、帯状体３１の端部相互は、ファスナー３２を構成する務歯３３ａ、３３ｂによって互いに留められる。このとき、凸部３６及び凸部３７は、アームレスト拡張部材Ａにおけるスリット２４（図３参照）の開口箇所に位置付けられ、スリット２４に沿う。
【００２８】
ここで、図１０を参照して、凸部３６及び凸部３７（図５及び図６参照）のいずれをも備えていない帯状体３１’についても考える。この帯状体３１’が、アームレスト拡張部材Ａと既存のアームレスト１２とを図４に相当する状態のように固定すると、図１０に図示されるような窪みＣ、Ｃが生ずる。ここで、帯状体３１に凸部３６及び凸部３７（図５及び図６参照）が備わることで、アームレスト拡張部材Ａに設けられる窪みＣ、Ｃに対して凸部３６及び凸部３７が嵌り込み（図４及び図１３参照）、アームレスト拡張部材Ａに窪みＣ、Ｃが生ずることを防ぐことができる。
【００２９】
［被覆体］
図１１ないし図１３を参照する。４１は、被覆体である。被覆体４１は、一端面が開口しアームレスト拡張部材Ａを被覆する箱状からなる。被覆体４１は、一例として、直方体形状をなしている。被覆体４１の開口側には、固定部４２によって固定される蓋部４３が設けられる。固定部４２は、被覆体４１の開口を閉じた状態の蓋部４３を、閉じたままの状態で固定する。固定部４２には、例えば、相互に粘着する面ファスナーを採用できる。被覆体４１は、アームレスト拡張部材Ａ（本体）と、既存のアームレスト１２と、これらを固定している帯状体３１とを、まとめて被覆する。
【００３０】
したがって、本実施の形態のアームレストカバーユニットによれば、既存のアームレストを廃棄することなくそのまま使用しながら、サイズの大きなアームレストを得ることができる。
【符号の説明】
【００３１】
Ａ      アームレスト拡張部材（本体）
１２    アームレスト
２２    収納部
２３    肘受け面
２４    スリット
３２    ファスナー
３３ａ  務歯
３３ｂ  務歯
３３ｃ  スライダ
３１    帯状体
３６    凸部
３７    凸部
４１    被覆体
【図１】
2011079371.tif 000003
【図２】
2011079371.tif 000004
【図３】
2011079371.tif 000005
【図４】
2011079371.tif 000006
【図５】
2011079371.tif 000007
【図６】
2011079371.tif 000008
【図７】
2011079371.tif 000009
【図８】
2011079371.tif 000010
【図９】
2011079371.tif 000011
【図１０】
2011079371.tif 000012
【図１１】
2011079371.tif 000013
【図１２】
2011079371.tif 000014
【図１３】
2011079371.tif 000015